(57)【要約】【課題】  アクティブフィルタの通過帯域特性の最適化を図る。【解決手段】  アクティブフィルタ１に対して、当該アクティブフィルタ１が設けられる通信システムで用いられる変調波信号を、変調波信号発生器２から供給し、アクティブフィルタ１からの出力のＥＶＭ値（EVM:Error Vector Magnitude）をＥＶＭ測定器３で測定する。そして、制御部４が、このＥＶＭ値を最小値とする調整信号を形成し、この調整信号によりアクティブフィルタ１の通過帯域特性を調整制御する。アクティブフィルタ１が設けられる通信システムで用いられる変調波信号を用いると共に、ＥＶＭ値が最小となるようにアクティブフィルタ１の通過帯域特性を調整しているため、システムに即した最適な通過帯域特性に、アクティブフィルタ１を調整することができる。【選択図】  図１
2005236694.tif 000002
【特許請求の範囲】
【請求項１】
外部から供給される調整信号に対応して通過帯域特性を可変可能なフィルタ手段に、該フィルタ手段が設けられるシステムで用いられる変調波信号を供給する変調波信号発生手段と、
上記フィルタ手段からの出力のＥＶＭ値（EVM:Error Vector Magnitude）を測定するＥＶＭ測定手段と、
上記ＥＶＭ測定手段により測定されたＥＶＭ値を最小値とする上記調整信号を形成して上記フィルタ手段に供給する制御手段と
を有する通過帯域調整装置。
【請求項２】
変調波信号発生手段から供給される、当該無線端末装置で用いる変調波信号が供給される外部入力手段と、
上記外部入力手段を介して供給された上記変調波信号を所定の中間周波数信号に変換処理する周波数変換手段と、
供給される調整信号に対応して通過帯域特性を可変し、この可変した通過帯域特性で、上記周波数変換手段により周波数変換処理された上記変調信号から所定の帯域を抽出するフィルタ手段と、
上記フィルタ手段からの出力を、当該無線端末装置の外部に設けられたＥＶＭ測定手段（EVM:Error Vector Magnitude）に供給するためのＥＶＭインターフェイスと、
上記ＥＶＭ測定手段により測定されたＥＶＭ値を最小値とする上記調整信号を形成する、当該無線端末装置の外部に設けられた制御手段からの該調整信号を、上記フィルタ手段に供給するための制御インターフェイスと
を有する無線端末装置。
【請求項３】
請求項２記載の無線端末装置であって、
上記外部入力手段は、アンテナにより受信された受信信号、及び当該無線端末装置から送信する送信信号の切り替えを行うアンテナスイッチであること
を特徴とする無線端末装置。
【請求項４】
当該無線端末装置で用いる変調波信号を発生する変調波信号発生手段と、
供給される調整信号に対応して通過帯域特性を可変し、この可変した通過帯域特性で、上記変調波信号発生手段からの上記変調波信号から所定の帯域を抽出するフィルタ手段と、
上記フィルタ手段からの出力のＥＶＭ値（EVM:Error Vector Magnitude）を測定するＥＶＭ測定手段と、
上記ＥＶＭ測定手段により測定されたＥＶＭ値を最小値とする上記調整信号を形成し、この調整信号を上記フィルタ手段に供給して、該フィルタ手段の通過帯域特性を可変制御する制御手段と
を有する無線端末装置。
【請求項５】
請求項４記載の無線端末装置であって、
上記制御手段は、通信の空き時間を検出し、この空き時間に上記調整信号を上記フィルタ手段に供給すること
を特徴とする無線端末装置。
【発明の詳細な説明】
【技術分野】
【０００１】
本発明は、携帯電話機，ＰＨＳ電話機（Personal Handyphone System），無線通信機能を備えたＰＤＡ装置（Personal Digital Assistant），無線通信機能を備えたノート型のパーソナルコンピュータ装置等の携帯端末装置の他、無線通信機能を備えた据え置き型のパーソナルコンピュータ装置等の端末装置に適用して好適な無線端末装置及び測定装置に関し、特に変調波信号を用いて受信系のフィルタの通過帯域特性を最適な調整値に調整可能とした通過帯域調整装置及び無線端末装置に関する。
【背景技術】
【０００２】
今日における移動体通信装置等の無線端末装置では、受信系の中間周波数部（ＩＦ部）に所定の周波数帯域の信号を通過させるチャネル選択フィルタが設けられている。
【０００３】
このチャネル選択フィルタとしては、通過帯域特性（中心周波数）の調整や変更が可能なアクティブフィルタとして、例えば相互コンダクタンス可変型フィルタ（ｇｍＣフィルタ）が用いられる。
【０００４】
このｇｍＣフィルタは、当該ｇｍＣフィルタに印加するフィルタ調整電圧の電圧値を適宜設定することで任意の通過帯域特性を設定するようになっている。また、このｇｍＣフィルタは、送受信系のＩＣ内に設けることが可能であり、これを通じて無線端末装置の小型化や低コスト化を図ることが可能であることから、今日においては広く用いられている。
【０００５】
ここで、このｇｍＣフィルタに代表されるアクティブフィルタは、各アクティブフィルタ毎に通過帯域の中心周波数にばらつきを有している。特に、小型化及び低コスト化を図ったフィルタ構成の場合、中心周波数のばらつきが大きい。
【０００６】
従来、少ない調整手順で精度良くアクティブフィルタの通過帯域特性を調整することを目的として、特開２００１−１１９２６８号の公開特許公報（特許文献１）にフィルタ調整方法及びフィルタ調整装置が開示され、また、特開２００２−７６８４１号の公開特許公報（特許文献２）にフィルタ中心周波数調整装置及び方法が開示されている。
【０００７】
上記特許文献１に開示されている先行技術においては、無変調キャリア（ＣＷ）を１波用いて、粗調，微調，最微調の３段階に分けて、ＲＳＳＩ測定値（RSSI:Received Signal Strength Indicator）が最小となるフィルタ調整電圧を検出することで、少ない調整手順で精度良くアクティブフィルタの通過帯域特性を調整可能としている。
【０００８】
これに対して、上記特許文献２に開示されている先行技術においては、中間周波数フィルタ（ＩＦフィルタ）に対して、中心周波数から同じ周波数だけ＋方向及び−方向にずれた周波数成分を有する２つのトーンの信号（２波の無変調キャリア）を供給すると共に、ＩＦフィルタに対して、前回設定された中心周波数をデルタＦだけ−方向にずらすように、ＩＦフィルタに供給する電流値を変更し、この状態におけるＲＳＳＩ測定値（Ｖａ）を測定する。
【０００９】
次に、ＩＦフィルタに対して上記２波の無変調キャリアを供給した状態で、前回設定された中心周波数を２×デルタＦだけ＋方向にずらすように、ＩＦフィルタに供給する電流値を変更してＲＳＳＩ測定値（Ｖｂ）を測定する。
【００１０】
そして、上記ＲＳＳＩ測定値（Ｖａ）とＲＳＳＩ測定値（Ｖｂ）とを比較し、いずれか値が小さい方のＲＳＳＩ測定値が得られるようにＩＦフィルタに供給する電流値を変更することで、ＩＦフィルタの中心周波数を変更設定する。これにより、小規模な回路構成で、温度や電源電圧により変動するＩＦフィルタの中心周波数の補正を実現している。
【００１１】
【特許文献１】特開２００１−１１９２６８号公報（第４頁〜第７頁：図８）
【特許文献２】特開２００２−７６８４１号公報（第３頁：図１）
【発明の開示】
【発明が解決しようとする課題】
【００１２】
ここで、上記特許文献１及び上記特許文献２に開示されている各先行技術の場合、無変調波を用いてＩＦフィルタの中心周波数を調整するようになっている。
【００１３】
しかし、携帯電話機等の無線端末装置においては、実際には、ＱＰＳＫ変調方式（QPSK:Quadrature Phase Shift Keying）やＧＭＳＫ変調方式（GMSK:Gaussian filtered Minimum Shift Keying）等の所定の変調方式により変調処理された信号が受信されることとなる。このため、各先行技術のように、無変調波を用いてＩＦフィルタの中心周波数の調整を行っていては、実際に変調波を受信した際に最適な通過帯域特性となるように、該ＩＦフィルタの通過帯域特性の調整を行うのは困難である。
【００１４】
ＩＦフィルタには、チャネルを抽出することに加え、ルートナイキスト特性を満たすことが求められるのであるが、ルートナイキスト特性を満たすためには、無変調波を用いてＲＳＳＩ値が最小となるように中間周波数を設定するよりも、実際の通信システムと同様に変調波を用いてＥＶＭ値（EVM:Error Vector Magnitude＝入力信号に対する出力の歪みの多さを示す値）が最小となるように調整することが好ましい。
【００１５】
本発明は上述の課題に鑑みてなされたものであり、フィルタの通過帯域特性を、変調波を用いて最適な通過帯域特性に調整可能な通過帯域調整装置及び無線端末装置の提供を目的とする。
【課題を解決するための手段】
【００１６】
本発明は、通過帯域特性の調整が必要なフィルタ手段に対して変調波信号を入力し、当該フィルタ手段の出力のＥＶＭ値（EVM:Error Vector Magnitude）が最小値となるように、該フィルタの通過帯域特性を調整する。
【発明の効果】
【００１７】
本発明は、実際に受信される変調波信号に対応するように、フィルタ手段の通過帯域特性を調整することができる。このため、実際に受信される信号に最適な通過帯域特性となるように、フィルタ手段の通過帯域特性を調整することができる。
【発明を実施するための最良の形態】
【００１８】
［第１の実施の形態］
〔通過帯域調整装置の構成〕
まず、図１は、本発明を適用した第１の実施の形態となる通過帯域調整装置のブロック図である。この通過帯域調整装置は、供給する電圧（或いは電流）に応じて通過帯域特性を変更可能なアクティブフィルタ１に対して、所定の周波数帯の変調波信号を供給する変調波信号発生器２と、アクティブフィルタ１からの出力のＥＶＭ値（EVM:Error Vector Magnitude）を測定する変調解析機等のＥＶＭ測定器３と、ＥＶＭ測定器３により測定されたＥＶＭ値に対応する電圧値の調整信号をアクティブフィルタ１に供給することで、該アクティブフィルタ１の通過帯域特性を制御する制御部４とを有している。
【００１９】
一例ではあるが、変調波信号発生器２は、例えば４５０ｋＨｚ等の中間周波数帯の変調波信号を発生するようになっている。また、この変調波信号は、ＱＰＳＫ変調方式（QPSK:Quadrature Phase Shift Keying）により変調処理が施されているものとする。さらに、アクティブフィルタ１としては、上記変調波信号から、４５０ｋＨｚを中心周波数として例えば±１０．５ｋＨｚの帯域を抽出するルートナイキストフィルタが設けられている。
【００２０】
〔通過帯域調整装置の動作〕
このような通過帯域調整装置において、変調波信号発生器２は、４５０ｋＨｚの中間周波数帯の変調波信号を発生し、これをアクティブフィルタ１に供給する。アクティブフィルタ１は、この変調波信号から、後に説明する制御部４からの調整信号に対応する周波数を中心周波数とする±１０．５ｋＨｚの帯域を抽出し、これをＥＶＭ測定器３に供給する。
【００２１】
ＥＶＭ測定器３は、アクティブフィルタ１からの出力のＥＶＭ値を測定し、この測定出力（ＥＶＭ出力）を制御部４に供給する。
【００２２】
一例ではあるが、ＥＶＭ測定器３は、図２に示す構成を有しており、アクティブフィルタ１からの出力は、復調部１１及び検波部１２に供給される。復調部１１は、このアクティブフィルタ１からの出力に対して施されている変調処理に対応する復調処理（この例の場合は、ＱＰＳＫ復調処理）を施し、この復調信号をレベル調整部１３に供給する。
【００２３】
ここで、比較部１４は、この復調信号と、基準信号発生部１５からの基準信号とを比較し、該復調信号が基準信号に対して有する歪み量（ＥＶＭ値）を検出するようになっている。そして、この比較処理を行う場合、復調信号の信号レベルを、基準信号の信号レベルに合わせておく必要がある。
【００２４】
このため、検波部１２及び自動利得制御部１６（ＡＧＣ）は、アクティブフィルタ１からの出力のレベルを検出し、このレベル検出出力をレベル調整部１３に供給する。レベル調整部１３は、復調部１１からの上記復調信号を、ＡＧＣ１６からのレベル検出出力に対応する利得で増幅することにより、該復調信号の信号レベルを、上記基準信号の信号レベルに合わせ込む。
【００２５】
基準信号発生部１５からの基準信号、及びレベル調整部１３からの復調信号は、同期調整部１７により出力タイミングが調整され、それぞれ比較部１４に供給される。比較部１４は、前述のようにレベル合わせ及び出力タイミングが調整された復調信号及び基準信号を比較処理することで、該基準信号に対する復調信号の歪み量を検出し、これをＥＶＭ出力として、図１に示す制御部４に供給する。制御部４は、このＥＶＭ出力の値が最小値となるように、アクティブフィルタ１に供給する調整信号の値を変化させる。
【００２６】
具体的には、ＥＶＭ測定器で測定されるＥＶＭ値と、制御部４からアクティブフィルタ１に供給される調整信号の値との関係は、図３に示すようになっている。この図３から、所定値の調整信号をアクティブフィルタ１に供給することで、該アクティブフィルタ１からの出力のＥＶＭ値が最小値を示すことがわかる。すなわち、この図３の例では、アクティブフィルタ１に対して１．６Ｖの電圧値の調整信号をアクティブフィルタ１に供給することで、該アクティブフィルタ１からの出力のＥＶＭ値が約９［%rms］となり、最小値を示すことがわかる。
【００２７】
また、図４は、アクティブフィルタ１の通過帯域特性を示しており、点線のグラフは、アクティブフィルタ１に対して１．２Ｖの電圧値の調整信号を供給した場合の通過帯域特性を、実線のグラフは、アクティブフィルタ１に対して１．６Ｖの電圧値の調整信号を供給した場合の通過帯域特性を、一点鎖線のグラフは、アクティブフィルタ１に対して２．０Ｖの電圧値の調整信号を供給した場合の通過帯域特性をそれぞれ示している。
【００２８】
図３からわかるように１．６Ｖの調整信号をアクティブフィルタ２に供給した際にＥＶＭ値が最小値となることがわかる。このため、制御部４は、アクティブフィルタ１からの出力のＥＶＭ値を最小値とするように、該アクティブフィルタ１に供給する調整信号の値を、ＥＶＭ測定器で測定されるＥＶＭ値に基づいて制御する。これにより、図４の各グラフに示すようにアクティブフィルタ１の通過帯域特性の中心周波数が４５０ｋＨｚに、徐々に合わせ込まれて調整されることとなる。
【００２９】
〔第１の実施の形態の効果〕
以上の説明から明らかなように、この第１の実施の形態の通過帯域調整装置は、アクティブフィルタ１に対して「変調波」を入力し、制御部４が、このアクティブフィルタ１の出力のＥＶＭ値が最小値となるように、該アクティブフィルタ１に供給する調整信号の値を制御する。
【００３０】
これにより、実際に受信される変調波を用いて、アクティブフィルタの通過帯域特性を調整することができるため、実際に受信される信号に最適な通過帯域特性となるように、アクティブフィルタの通過帯域特性を調整することができる。
【００３１】
このため、通過帯域特性の最適化により、受信感度や通話音声品質の向上を図ることができ、また、隣接チャネルの選択度を改善することができる。
【００３２】
また、データ通信においては、誤り率を低くすることができ、結果として通信速度の向上を図ることができる。
【００３３】
また、温度ドリフトにより悪影響を軽減することができ、結果として動作可能な温度範囲を広げることができる。
【００３４】
なお、上述の第１の実施の形態の説明では、アクティブフィルタ１の通過帯域特性を調整することとして説明をしたが、この通過帯域調整装置は、アクティブフィルタ以外であっても、通過帯域特性の調整を必要とするフィルタであれば、どのようなフィルタでも、その通過帯域特性を調整することは可能であることを付け加えておく。
【００３５】
［第１の実施の形態の変形例］
次に、上記アクティブフィルタ１は、通常、図５に示すように一つの集積回路（ＩＣ）として１チップ化されている。このため、このフィルタＩＣに対して、当該通過帯域調整装置の一部或いは全部の回路部を組み込むことで、当該通過帯域調整装置の一部或いは全部を１チップ化することも可能である。
【００３６】
具体的には、図６は、アクティブフィルタ１のフィルタＩＣに対して、制御部４を組み込んだ例である。また、図７は、アクティブフィルタ１のフィルタＩＣに対して、変調波信号発生器２，ＥＶＭ測定器３及び制御部４を組み込んだ例である。
【００３７】
このように通過帯域調整装置の一部或いは全部を１チップ化することで、以下に各実施の形態として説明するように、当該通過帯域調整装置を携帯電話機等の通信端末装置に組み込み易くすることができる。
【００３８】
［第２の実施の形態］
次に、本発明を適用した第２の実施の形態となる携帯電話機の説明をする。この第２の実施の形態の携帯電話機は、当該携帯電話機内に設けられたアクティブフィルタ１の中心周波数を、当該携帯電話機に外付けされるかたちで設けられた上記変調波信号発生器２、ＥＶＭ測定器３及び制御部４により設定するようにしたものである。
【００３９】
〔第２の実施の形態の構成〕
具体的には、この第２の実施の形態の携帯電話機は、図８に示すようにアクティブフィルタ１のフィルタＩＣに設けられたＥＶＭインターフェイス２２（ＥＶＭＩＦ）を介して、当該アクティブフィルタ１の出力を上記ＥＶＭ測定器３に供給し、また、該フィルタＩＣに設けられた制御インターフェイス２３（制御ＩＦ）を介して、上記制御部４からの調整信号をアクティブフィルタ１に供給して中心周波数を制御するようになっている。また、変調波発生器２からの変調波信号は、当該携帯電話機のアンテナに接続されたアンテナスイッチに供給されるようになっており、このアンテナスイッチを介して供給された変調波信号が、受信系及び中間周波数信号処理部を介してアクティブフィルタ１に供給されるようになっている。
【００４０】
〔第２の実施の形態の動作〕
図９に、この第２の実施の形態の携帯電話機の送受信系の詳細な回路図を示す。この図９からわかるように、当該携帯電話機は、８００ＭＨｚ及び１．５ＧＨｚのシステムに対応可能となっており、変調波信号発生器２からの８００ＭＨｚ或いは１．５ＧＨｚの変調波信号は、受信入力端子３１（ＥＸＴ＿ＲＸ）或いは送信出力端子３２（ＥＸＴ＿ＴＲＸ）を介してアンテナスイッチ３０（ＡＮＴ＿ＳＷ）に供給される。
【００４１】
アンテナスイッチ３０は、内部のスイッチを切り替えることで、受信入力端子３１或いは送信出力端子３２を介して供給された上記変調波信号をＲＦ処理部３４に供給する。ＲＦ処理部３４は、ＳＡＷフィルタ３３、シンセサイザ部３６からのシンセサイザ出力が供給されるミキサ３４（ローノイズアンプ（ＬＮＡ）も含む）及びＭＣフィルタ３５により、上記ＳＡＷフィルタ３３からの変調波信号を中間周波数信号（ＩＦ）に変換し、これをフィルタＩＣ４０に供給する。
【００４２】
フィルタＩＣ４０に供給された中間周波数信号は、シンセサイザ部３６からのシンセサイザ出力に基づいて所定の利得で増幅されアクティブフィルタ１に供給される。アクティブフィルタ１は、上述のようにこの中間周波数信号から所定の帯域を抽出し、これを後段の復調部（図示せず）に供給すると共に、フィルタＩＣ４０に設けられたＥＶＭＩＦ２２を介して、図８に示すＥＶＭ測定器３に供給する。
【００４３】
ＥＶＭ測定器３は、上記アクティブフィルタ１からの出力に基づいてＥＶＭ値を検出し、これを制御部４に供給する。制御部４は、このＥＶＭ値を最小値とする調整信号を形成し、これを図９に示す制御ＩＦ２３を介してアクティブフィルタ１に供給する。これにより、上述と同様に、当該携帯電話機内に設けられたアクティブフィルタ１の通過帯域特性を、当該携帯電話機に対して外付けのかたちで設けられた変調波信号発生器２、ＥＶＭ測定器３及び制御部４により、最適な特性に調整することができる。
【００４４】
〔第２の実施の形態の効果〕
以上の説明から明らかなように、この第２の実施の形態の携帯電話機は、フィルタＩＣ４０に対して、アクティブフィルタ１の出力を、当該携帯電話機に外付けされるＥＶＭ測定器３に供給するためのＥＶＭＩＦ２２、及び当該携帯電話機に外付けされる制御部４からの調整信号をアクティブフィルタ１に供給するための制御ＩＦ２３を設ける。そして、この外付けされたＥＶＭ測定器３により、アクティブフィルタ１からの出力のＥＶＭ値を測定し、制御部４が、このＥＶＭ値を最小化する調整信号を形成し、この調整信号により、携帯電話機内のアクティブフィルタ１の中心周波数を調整する。
【００４５】
これにより、アンテナスイッチ３０を介して供給される変調波信号に基づいて、アクティブフィルタ１の出力のＥＶＭ値が最小となるように、該アクティブフィルタ１の中心周波数を調整することができる。このため、携帯電話機のアクティブフィルタ１の通過帯域特性を、実際に受信される変調波信号に対応した最適な特性に調整することができる。
【００４６】
また、この第２の実施の形態の携帯電話機の場合、変調波信号発生器２からの変調波信号を、アンテナスイッチ３０、ＳＡＷフィルタ３３、ミキサ３４、及びＭＣフィルタ３５を介してアクティブフィルタ１に供給するようになっている。このため、アクティブフィルタ１の前段の系、すなわち、アンテナスイッチ３０、ＳＡＷフィルタ３３、ミキサ３４、及びＭＣフィルタ３５の特性を含めたかたちで、アクティブフィルタ１の通過帯域特性を調整することができる。従って、当該携帯電話機の受信システムとして最適な特性となるようにアクティブフィルタ１の通過帯域特性を調整することができる。
【００４７】
［第２の実施の形態の変形例］
上述の第２の実施の形態の説明では、変調波信号発生器２、ＥＶＭ測定器３及び制御部４を、携帯電話機に対して外付けのかたちで設けることとしたが、これは、図１０に示すように制御部４を携帯電話機のフィルタＩＣ４０内に設けるようにしてもよい（或いは携帯電話機内のＣＰＵを制御部４として機能させるようにしてもよい。）。
【００４８】
この場合、変調波信号発生器２からの変調波信号は、上記アンテナスイッチ３０から供給され、当該携帯電話機内のアクティブフィルタ１に供給される。アクティブフィルタ１の出力は、フィルタＩＣ４０に設けられたＥＶＭＩＦ２２を介して、当該携帯電話機に外付けされたＥＶＭ測定器３に供給される。また、ＥＶＭ測定器３からのＥＶＭ値は、ＥＶＭＩＦ２２を介して、当該携帯電話機内のフィルタＩＣ４０に設けられた制御部４に供給される。そして、この制御部４により、上記ＥＶＭ値に基づいて形成された調整信号で、アクティブフィルタ１の通過帯域特性が調整されることとなり、上述と同様の効果を得ることができる。
【００４９】
［第３の実施の形態］
次に、本発明を適用した第３の実施の形態の携帯電話機の説明をする。この第３の実施の形態の携帯電話機は、図７に示すように、アクティブフィルタ１、変調波信号発生器２、ＥＶＭ測定器３及び制御部４を１チップ化したフィルタＩＣ５０を、当該携帯電話機内に設けたものである。
【００５０】
上述の第２の実施の形態の携帯電話機の場合、変調波信号発生器２からの変調波信号を、アンテナスイッチ３０を介して供給することとしたが、この第３の実施の形態の携帯電話機の場合、フィルタＩＣ５０内に変調波信号発生器２が設けられているため、この変調波信号発生器２から直接的に、アクティブフィルタ１に対して変調波信号を供給する。そして、フィルタＩＣ５０内に設けられたＥＶＭ測定器３により、該アクティブフィルタ１の出力のＥＶＭ値を測定し、フィルタＩＣ５０内に設けられた制御部４により、このＥＶＭ値に対応する調整信号を形成してアクティブフィルタ１の通過帯域特性を調整する。
【００５１】
これにより、上述の第２の実施の形態と同様に、アクティブフィルタ１の通過帯域特性を最適化することができる。
【００５２】
また、この第３の実施の形態の携帯電話機の場合、アクティブフィルタ１、変調波信号発生器２、ＥＶＭ測定器３及び制御部４が、フィルタＩＣ５０に１チップ化されているため、当該携帯電話機のみでアクティブフィルタ１の通過帯域特性を調整可能とすることができる。
【００５３】
〔通過帯域特性の調整タイミングの制御〕
ここで、携帯電話機内のＣＰＵは、変調波信号発生器２からアクティブフィルタ１に対して変調波信号を供給するタイミングを制御しており、
１．ユーザから中心周波数の調整の指示がなされたタイミング（ユーザは、例えば受信状態が思わしくない場合等に、この調整指示を行えば良い）、
２．無音状態の検出時、
３．パケットデータを受信してから、次のパケットデータを受信するまでの間
等のいわば「空き時間」を検出し、この空き時間に変調波信号発生器２からの変調波信号をアクティブフィルタ１に供給制御する。
【００５４】
これにより、空き時間を利用してアクティブフィルタ１の通過帯域特性を、常に最適な状態に維持することができる。
【００５５】
最後に、本発明は、一例として開示した上述の各実施の形態に限定されることはない。例えば、上述の第２，第３の実施の形態の説明では、本発明を携帯電話機に適用することとしたが、これは、通信機能を備えた機器であれば、どのような機器に適用してもよい。
【００５６】
そして、上述の各実施の形態以外であっても、本発明に係る技術的思想を逸脱しない範囲であれば、設計等に応じて種々の変更が可能であることは勿論であることを付け加えておく。
【図面の簡単な説明】
【００５７】
【図１】本発明を適用した第１の実施の形態となる通過帯域調整装置のブロック図である。
【図２】通過帯域調整装置に設けられているＥＶＭ測定器のブロック図である。
【図３】アクティブフィルタの通過帯域を調整する調整信号と、アクティブフィルタ１の出力のＥＶＭ値との関係を示す特性図である。
【図４】通過帯域調整装置により、アクティブフィルタの通過帯域が最適化される様子を示す図である。
【図５】通過帯域調整装置の第１の変形例を説明するたののブロック図である。
【図６】通過帯域調整装置の第２の変形例を説明するたののブロック図である。
【図７】通過帯域調整装置の第３の変形例を説明するたののブロック図である。
【図８】本発明を適用した第２の実施の形態となる携帯電話機のブロック図である。
【図９】第２の実施の形態の携帯電話機の送受信系の回路図である。
【図１０】第２の実施の形態の携帯電話機の変形例を説明するためのブロック図である。
【符号の説明】
【００５８】
１  アクティブフィルタ、２  変調波信号発生器、３  ＥＶＭ測定器、４  制御部、１１  復調部、１２  検波部、１３  レベル調整部、１４  比較部、１５  基準信号発生部、１６  自動利得制御部（ＡＧＣ部）、１７  同期調整部、２２  ＥＶＭインターフェイス（ＥＶＭＩＦ）、２３  制御インターフェイス（制御ＩＦ）、４０  フィルタＩＣ、５０  フィルタＩＣ
【図１】
2005236694.tif 000003
【図２】
2005236694.tif 000004
【図３】
2005236694.tif 000005
【図４】
2005236694.tif 000006
【図５】
2005236694.tif 000007
【図６】
2005236694.tif 000008
【図７】
2005236694.tif 000009
【図８】
2005236694.tif 000010
【図９】
2005236694.tif 000011
【図１０】
2005236694.tif 000012